(57)【特許請求の範囲】
【請求項１】
下記式１で表される非架橋性モノマと下記式２で表される架橋性モノマとを含む重合性液晶組成物であって、
前記重合性液晶組成物中の前記架橋性モノマの量が１０モル％より多く、
前記架橋性モノマの分子長が、前記非架橋性モノマの分子長以上であり、ネマチック液晶組成物であることを特徴とする、重合性液晶組成物。
【化１】
0004834907.tif 000007
式中の記号は以下の意味を示す。
Ｒ１、Ｒ３：それぞれ独立して、水素原子、ハロゲン原子またはメチル基。
Ｒ２：水素原子、ハロゲン原子、シアノ基またはアルキル基。
Ｘ１、Ｘ２：それぞれ独立して、単結合、−ＣＯＯ−、−ＯＣＯ−または−Ｏ−。
Ｙ１、Ｙ２：それぞれ独立して、−ＣＨ２―、−ＯＣＨ２ＣＨ２−または−ＣＨ２ＣＨ２Ｏ−。
ｍ：１〜１２の整数。
ｎ、ｒ：それぞれ独立して、１〜１０の整数。
Ｚ１、Ｚ２、Ｚ３、Ｚ４、Ｚ５、Ｚ６、Ｚ７、Ｚ８、Ｚ９、Ｚ１０：それぞれ独立して、単結合、−Ｏ−、−ＯＣＯ−、−ＣＯＯ−、−ＣＯ−、−ＣＯＮＨ−、−ＮＨＣＯ−、−ＮＨ−、−Ｃ≡Ｃ−、−ＣＨ＝ＣＨ−、−ＣＨ２ＣＨ２−、−Ｎ＝ＣＨ−、−ＣＨ＝Ｎ−または−Ｎ＝Ｎ−。
Ｅ１、Ｅ２、Ｅ３、Ｅ４、Ｅ５、Ｅ６、Ｅ７、Ｅ８：それぞれ独立して、１，４−フェニレン基またはトランス−１，４−シクロヘキシレン基。
ｐ、ｑ、ｓ、ｔ：それぞれ独立して、０または１。
但し、式１、式２においてペルオキシド基を含むものを除く。
【請求項２】
重合性液晶組成物中の前記架橋性モノマの量が２０〜９０モル％である、請求項１に記載の重合性液晶組成物。
【請求項３】
前記非架橋性モノマが、式１においてｐ＋ｑ＝１であり、かつＲ２がシアノ基である非架橋性モノマであり、重合性液晶組成物中の該非架橋性モノマの量が１０〜８０モル％である請求項１または２に記載の重合性液晶組成物。
【請求項４】
屈折率異方性が０．１５以上である、請求項１、２または３に記載の重合性液晶組成物。
【請求項５】
請求項１、２、３または４に記載の重合性液晶組成物を重合させてなる高分子液晶。
【請求項６】
紫外線または可視光線を照射することにより重合させてなる請求項５に記載の高分子液晶。
【請求項７】
請求項５または６に記載の高分子液晶を用いてなる光学素子。
【請求項８】
請求項７に記載の光学素子を用いてなる光ヘッド。
【発明の詳細な説明】
【０００１】
【発明の属する技術分野】
本発明は、重合性液晶組成物、これを重合した高分子液晶およびその用途に関する。
【０００２】
【従来の技術】
液晶モノマに重合性官能基を付与した重合性液晶モノマは、モノマとしての性質と液晶としての性質を併有する。したがって、重合性液晶モノマを配向させた状態で重合させると、配向が固定化された高分子液晶が得られる。こうして得られる高分子液晶は、液晶性骨格の屈折率異方性に基づく光学異方性を有し、液晶配向状態の制御により特殊な特性も付与できるため、位相差フィルムや偏光ホログラム等の光学素子に使用されている。
【０００３】
このような重合性液晶モノマのなかでも、特に光重合性官能基を有する光重合性液晶モノマは、通常の液晶ディスプレイ等で使用される非重合性液晶と同様な手法を用いて液晶モノマを配向制御した後に、光を照射して重合させることで簡単に高分子液晶を作製できる優れた材料である。
【０００４】
この高分子液晶を用いた偏光ホログラムは、偏光依存性を利用することにより高い光利用効率を発現する。理想的な矩形格子形状においては、格子高さｄ、高分子液晶の屈折率異方性Δｎ、波長λとすると、Δｎ・ｄ＝λ／２を満たすとき、±１次の回折効率が最大となる。
【０００５】
近年、光ヘッドの小型化に伴い、偏光ホログラムは格子ピッチｗの狭小化が求められている。フォトリソグラフィでの格子加工に際し、格子のアスペクト比ｄ／ｗが大きいと理想的な矩形格子形状からのずれが大きくなり、光利用効率が低下する問題がある。これを解決するには、屈折率異方性の大きな高分子液晶を用いることが有効である。
【０００６】
屈折率異方性の大きな液晶モノマとしては、下記式３で表される化合物（以下化合物３ともいい、他の場合も同様にいう。）がある（特開平９−２０８９５７号公報参照）。なお、本明細書において、Ｐｈは１，４−フェニレン基を示す。
【０００７】
CH2=CH-COO-(CH2)6-O-Ph-Ph-CN・・・式３
化合物３は、重合性官能基であるアクリロイルオキシ基と液晶性を発現する分子構造部分（以下、メソゲン骨格という。）である４’−シアノ−４−ビフェニリル基との間にスペーサとしてヘキサメチレン基が導入されているため、重合時の立体障害が低減され、屈折率異方性の大きな高分子液晶が得られる。
【０００８】
しかし、スペーサを含む化合物は、屈折率異方性は大きいが、その温度依存性も大きい問題がある。このような化合物を重合した高分子液晶を用いた光学素子を光ヘッドの部品とした場合には、該光ヘッドは環境温度の変化に伴って回折効率が変動するため信号検出に支障が出る。
【０００９】
環境温度の変化による回折効率の変動を少なくするため、高分子液晶の屈折率異方性の温度依存性を小さくする方法（特開平１０−２６５５３１号公報参照）がある。これは、非架橋性モノマと架橋性モノマを特定の質量比で含む液晶性組成物を用いることにより、温度依存性を小さくする方法である。しかし、この方法では温度依存性は小さくできるが、必ずしも屈折率異方性が大きな高分子液晶は得られなかった。
以上のように、これまでは屈折率異方性が大きく、かつ、その温度依存性が小さい高分子液晶は得られていなかった。
【００１０】
【発明が解決しようとする課題】
本発明の目的は、屈折率異方性が大きく、かつ、その温度依存性が小さい高分子液晶、その用途、およびそのための重合性液晶組成物の提供にある。用途としては、偏光ホログラム、光ヘッド、位相差フィルムなどがある。
【００１１】
【課題を解決するための手段】
本発明は、下記式１で表される非架橋性モノマと下記式２で表される架橋性モノマとを含む重合性液晶組成物であって、前記重合性液晶組成物中の前記架橋性モノマの量が１０モル％より多く、前記架橋性モノマの分子長が、前記非架橋性モノマの分子長以上であり、ネマチック液晶組成物であることを特徴とする、重合性液晶組成物を提供する。
【００１２】
【化２】
0004834907.tif 000002
【００１３】
式中の記号は以下の意味を示す。
Ｒ１、Ｒ３：それぞれ独立して、水素原子、ハロゲン原子またはメチル基。
Ｒ２：水素原子、ハロゲン原子、シアノ基またはアルキル基。
Ｘ１、Ｘ２：それぞれ独立して、単結合、−ＣＯＯ−、−ＯＣＯ−または−Ｏ−。
Ｙ１、Ｙ２：それぞれ独立して、−ＣＨ２―、−ＯＣＨ２ＣＨ２−または−ＣＨ２ＣＨ２Ｏ−。
ｍ：１〜１２の整数。
ｎ、ｒ：それぞれ独立して、１〜１０の整数。
Ｚ１、Ｚ２、Ｚ３、Ｚ４、Ｚ５、Ｚ６、Ｚ７、Ｚ８、Ｚ９、Ｚ１０：それぞれ独立して、単結合、−Ｏ−、−ＯＣＯ−、−ＣＯＯ−、−ＣＯ−、−ＣＯＮＨ−、−ＮＨＣＯ−、−ＮＨ−、−Ｃ≡Ｃ−、−ＣＨ＝ＣＨ−、−ＣＨ２ＣＨ２−、−Ｎ＝ＣＨ−、−ＣＨ＝Ｎ−または−Ｎ＝Ｎ−。
Ｅ１、Ｅ２、Ｅ３、Ｅ４、Ｅ５、Ｅ６、Ｅ７、Ｅ８：それぞれ独立して、１，４−フェニレン基またはトランス−１，４−シクロヘキシレン基。
ｐ、ｑ、ｓ、ｔ：それぞれ独立して、０または１。
但し、式１、式２においてペルオキシド基を含むものを除く。
【００１４】
【発明の実施の形態】
本発明における非架橋性モノマは、重合性官能基とメソゲン骨格の間にスペーサを有する化合物１である。重合性液晶組成物は、２種以上の化合物１を含んでもよい。
【００１５】
化合物１のＥ1、Ｅ2、Ｅ3、Ｅ4において、置換された１，４−フェニレン基としては、＝ＣＨ−が＝Ｎ−に置換された基、または、１つ以上の水素原子がメチル基またはハロゲン原子（フッ素原子、塩素原子等）に置換された基等が挙げられる。たとえば、＝Ｎ−に置換された場合は屈折率異方性が大きくなり、メチル基またはハロゲン原子に置換された場合は一般に融点が低下し、特に水素原子がフッ素原子に置換された場合は粘度も低下する。そのため、目的に応じて置換基を選択するのが好ましい。
【００１６】
化合物１におけるメソゲン骨格としては、−Ｐｈ−Ｐｈ−Ｒ2、−Ｐｈ−ＣＨ＝ＣＨ−Ｐｈ−Ｒ2、−Ｐｈ−Ｃ≡Ｃ−Ｐｈ−Ｒ2、−Ｐｈ−Ｎ＝ＣＨ−Ｐｈ−Ｒ2、−Ｐｈ−Ｎ＝Ｎ−Ｐｈ−Ｒ2等が、屈折率異方性を大きくし、融点を比較的低くすることから好ましい。特に、上記メソゲン骨格におけるＲ2がシアノ基である場合には、屈折率異方性を大きくするため好ましい。
【００１７】
また化合物１におけるスペーサは、重合後に配向性が阻害されないための緩衝の役割を持つ。しかし、スペーサが長すぎると、重合後の高分子液晶が柔らかくなり、屈折率異方性の温度依存性が大きくなる。そのため、化合物１においては、Ｙ1が−ＣＨ2−かつｍが４〜１０の整数、または、Ｙ1が−ＣＨ2ＣＨ2Ｏ−かつｍが２〜４の整数、であることが好ましい。
【００１８】
一方、架橋性モノマは、重合性官能基とメソゲン骨格の間にスペーサを有し、重合性官能基を分子中に２つ有する化合物２である。化合物２のＥ5、Ｅ6、Ｅ7、Ｅ8において、置換された１，４−フェニレン基としては、前述のＥ1、Ｅ2、Ｅ3、Ｅ4と同様の基が挙げられる。
【００１９】
化合物２におけるメソゲン骨格としては、−Ｐｈ−Ｐｈ−、−Ｐｈ−ＣＨ＝ＣＨ−Ｐｈ−、−Ｐｈ−Ｃ≡Ｃ−Ｐｈ−、−Ｐｈ−Ｎ＝ＣＨ−Ｐｈ−、−Ｐｈ−Ｎ＝Ｎ−Ｐｈ−等が好ましい。また化合物２としては、ｎ＝ｒである化合物が、合成が容易であるため好ましい。
【００２０】
化合物１または化合物２の液晶性については、化合物１および化合物２はそれぞれ液晶性を有することが好ましいが、それを含んでなる重合性液晶組成物が液晶性を発現すればよく、化合物１および化合物２が必ずしも単独で液晶性を発現しなくてもよい。
【００２１】
架橋性モノマ（化合物２）の分子長は、非架橋性モノマ（化合物１）の分子長以上であることが好ましい。このことにより、屈折率異方性の大きな高分子液晶が得られる。以下、この分子長について説明する。
分子長とは、非架橋性モノマまたは架橋性モノマにおいて、重合後に主鎖を構成する二重結合部位を除いた部分の長さ、すなわち側鎖長を意味する。非架橋性モノマの分子長をＬ1、架橋性モノマの分子長をＬ2と記す。
【００２２】
たとえば、非架橋性モノマである前記化合物３の分子長とは、末端のシアノ基のＮと二重結合の炭素Ｃ2［式３’に化合物３の二重結合の炭素に番号を付記］の間の距離のことである。同様に、たとえば架橋性モノマの分子長とは、下記式４で表される化合物においてＣ4とＣ5の間の距離のことである。
【００２３】
【化３】
0004834907.tif 000003
【００２４】
分子長Ｌ１およびＬ２は、Ｃｈｅｍ  ３Ｄ（Ｃａｍｂｒｉｄｇｅ  Ｓｃｉｅｎｔｉｆｉｃ  Ｃｏｍｐｕｔｉｎｇ  Ｉｎｃ．製、商品名）を用いて、分子構造から計算によって求められる。具体的には、化合物３のＬ１は２．０７ｎｍ、化合物４のＬ２は３．００ｎｍである。
【００２５】
ところで高分子液晶において、その秩序性が保たれると屈折率異方性は大きくなる。高分子液晶の秩序性は、ネットワーク構造（架橋構造）を形成する架橋性モノマの秩序性に依るところが大きく、これはＬ2とＬ1の関係に依る。
【００２６】
Ｌ2＜Ｌ1の場合は、重合性液晶組成物においては保たれていた秩序性が、重合後には低下する。このため、Ｌ2＜Ｌ1である架橋性モノマを重合性液晶組成物中に含むと、高分子液晶の屈折率異方性が小さくなる。Ｌ2≧Ｌ1の場合は、重合後も秩序性の低下が少ないかまたは秩序性が良好に保たれるため、屈折率異方性の大きな高分子液晶を得ることができる。
【００２７】
重合性液晶組成物中の架橋性モノマの量は、１０モル％より多いことが必要であり、２０〜９０モル％が好ましい。この量が少なすぎると、重合後の高分子液晶の屈折率異方性が大きくなる効果が十分でなかったり、温度依存性が低い高分子液晶が得られない等の問題がある。また、多すぎると、一般に融点が高くなって作業性が損なわれたり、重合時の収縮が大きくなってクラックが生じる等の問題がある。
【００２８】
さらに式１において、ｐ＋ｑ＝１（すなわち、ｐおよびｑのいずれか一方が０であり、ｐおよびｑのいずれか他方が１である。）である化合物１（この化合物１を以下、化合物１Ａという。）は高温域で液晶相を発現する。したがって化合物１Ａを含む重合性液晶組成物は、広い温度範囲で液晶相となるため好ましい。特にＲ2がシアノ基である場合には、屈折率異方性が大きい点からより好ましい。Ｒ2がシアノ基である化合物１Ａは、重合性液晶組成物中に１０〜８０モル％含まれることが好ましい。１０モル％より少ないと前記効果が少なく、８０モル％より多いと重合温度が高く使用しにくくなるため、好ましくない。
【００２９】
重合性液晶組成物中には、他の重合性モノマを含んでいてもよい。他の重合性モノマは、用途、要求性能等により異なるが、低温で液晶性を示す重合性液晶モノマ、低粘性の重合性モノマ、屈折率異方性を向上させる重合性モノマ、コレステリック性を付与させる重合性モノマ、その他各種重合性モノマが挙げられる。
【００３０】
本発明の重合性液晶組成物を重合させることにより、高分子液晶を得ることができる。屈折率異方性の大きな高分子液晶を得るためには、重合性液晶組成物の屈折率異方性が０．１５以上であることが好ましい。
【００３１】
該重合としては、光重合が好ましい。光重合に用いる光としては、紫外線、可視光線等が挙げられる。
光重合を行う場合には、光重合開始剤を用いると効率よく反応させうる。光重合開始剤としては特に限定されず、アセトフェノン類、ベンゾフェノン類、ベンゾイン類、ベンジル類、ミヒラーケトン類、ベンゾインアルキルエーテル類、ベンジルジメチルケタール類、チオキサントン類等が好ましく使用できる。また必要に応じ、２種以上の光重合開始剤を混合して使用してもよい。光重合開始剤の使用量は、重合性液晶組成物に対して０．１〜１０質量％が好ましく、特に０．５〜２質量％が好ましい。
【００３２】
本発明の重合性液晶組成物を重合させる際には、複数枚の支持体の間にガラスビーズ等を配置し、該支持体を所望の間隔に制御して対向させ、支持体の間に本発明の重合性液晶組成物を注入し、充填させて重合させるのが好ましい。該支持体としては、ガラス板、プラスチック板等を使用できる。
【００３３】
また、支持体表面には配向処理が施されているのが好ましい。配向処理は、支持体面を、斜方蒸着するか、綿、羊毛等の天然繊維、ナイロン、ポリエステル等の合成繊維等で直接ラビングするか、またはポリイミド、ポリアミド等を塗布しその面を上記繊維等でラビングする、のがよい。
【００３４】
重合性液晶組成物を液晶状態に保つためには、雰囲気温度を融点Ｔm［℃］以上、等方相相転移温度Ｔc［℃］以下の範囲にするのが好ましいが、Ｔcに近い温度では屈折率異方性がきわめて小さいので、雰囲気温度の上限は（Ｔc−１０）℃以下とするのがより好ましい。本発明の重合性液晶組成物は、重合時に比較的安定に液晶状態を保持していれば、過冷却状態のような短期的に安定な液晶状態で重合してもよい。
【００３５】
本発明の高分子液晶は、支持体に挟んだまま用いてもよく、支持体から剥離して用いてもよい。
本発明の高分子液晶の屈折率異方性の温度依存性は小さいが、これは架橋性モノマを添加しているためである。
本発明の高分子液晶は、光学素子に好適である。光学素子としては、位相差フィルムや偏光ホログラム素子等が挙げられる。該高分子液晶を用いた偏光ホログラム素子は光利用効率が高く、回折効率の温度依存性も小さい。該偏光ホログラム素子を光ヘッドの部品として用いれば、光利用効率の高い光ヘッドを作製できる。
【００３６】
【実施例】
以下の各例で用いた化合物６〜１７はそれぞれ式６〜１７で表される化合物である。
【００３７】
【化４】
0004834907.tif 000004
【００３８】
［例１（実施例）］
以下の化合物を（  ）内のモル比にて含む組成物Ａを調製した。
化合物６［Ｌ1＝１．３１ｎｍ］（０．２５）、化合物７［Ｌ1＝１．７５ｎｍ］（０．１０）、化合物８［Ｌ1＝２．０７ｎｍ］（０．３６）、化合物９［Ｌ1＝１．８１ｎｍ］（０．１０）、化合物１０［Ｌ1＝１．９１ｎｍ］（０．１９）。
組成物Ａに、架橋性モノマとして化合物１１［Ｌ2＝３．００ｎｍ］を組成物Ｂ全量中に２０モル％となるように加え、組成物Ｂを調製した。
【００３９】
［例２（実施例）］
配向剤であるポリイミドをスピンコータで塗布し、熱処理した後、ナイロンクロスで一定方向にラビング処理したガラス板を支持体とし、配向処理した面が向かいあうように２枚の支持体を接着剤を用いて貼り合わせ、その１辺にガラスブロックを挿入して、くさび形状となるセルＭを作製した。セルＭにおける、くさび頂角は約１．６度、寸法は縦１７ｍｍ、横３０ｍｍであり、ラビング方向はくさび先端の頂辺方向に対して１８０度である。
【００４０】
組成物Ｂに光重合開始剤「イルガキュアー９０７（チバガイギー社製）」を０．５質量％添加したものを、上記のように作製したセルＭに８０℃で先端部に注入した。次に４０℃で波長３６５ｎｍにおいて５ｍＷ／ｃｍ2の強度の紫外線を３００秒照射し、光重合を行った。重合後、フィルム状の高分子液晶Ｂが得られた。この高分子液晶は可視域で透明であり、散乱も見られなかった。
【００４１】
［例３（実施例）］
ピッチ６μｍ、深さ３μｍの矩形格子が形成された直径７５ｍｍの円板状のガラス基板上に、配向剤であるポリイミドをスピンコータで塗布し、熱処理した後、ナイロンクロスで格子方向に対して平行方向にラビング処理を行ったものと、配向処理を同様に行ったガラス平板基板とを、配向処理面が向かいあい、セルギャップが３μｍになるように接着剤を用いて貼り合わせて、セルＮを作製した。その際、配向方向が平行になるようにした。
【００４２】
組成物Ｂに光重合開始剤「イルガキュアー９０７（チバガイギー社製）」を０．５質量％添加したものを、上記のように作製したセルＮに８０℃で注入し、格子状凹部を組成物Ｂにより充填した。次に、４０℃で波長３６５ｎｍにおいて５ｍＷ／ｃｍ2の強度の紫外線を３００秒照射し、光重合を行った。このセルＮの片面に１／４波長板を積層し、偏光ホログラムビームスプリッタ（光学素子）を作製した。この偏光ホログラムビームスプリッタを光ヘッドの部品に用いたところ、該光ヘッドは波長６５０ｎｍのレーザ光源にて、±１次の回折効率の合計で５０％の光利用効率を得た。
【００４３】
［例４（比較例）］
例２において、組成物Ｂの代わりに組成物Ａを用い、紫外線照射を４０℃の代わりに３０℃で行う以外は例２と同様にして、高分子液晶Ａが得られた。この高分子液晶は可視域で透明であり、散乱も見られなかった。
【００４４】
「例５（比較例）」
組成物Ａに、化合物１１を組成物Ｃ全量中に１０モル％となるように加え、組成物Ｃを調製した。例４において、組成物Ａの代わりに組成物Ｃを用いる以外は例４と同様にして、高分子液晶Ｃを得た。この高分子液晶は可視域で透明であり、散乱も見られなかった。
【００４５】
［例６（比較例）］
組成物Ａに、化合物１２［Ｌ2＝１．４１ｎｍ］を組成物Ｄ全量中に１０モル％となるように加え、組成物Ｄを調製した。例４において、組成物Ａの代わりに組成物Ｄを用いる以外は例４と同様にして、高分子液晶Ｄが得られた。この高分子液晶は可視域で透明であり、散乱も見られなかった。
【００４６】
［例７（実施例）］
化合物６［Ｌ1＝１．３１ｎｍ］（０．２０）、化合物８［Ｌ1＝２．０７ｎｍ］（０．３５）、化合物１３［Ｌ1＝２．６９ｎｍ］（０．１５）、化合物１１［Ｌ2＝３．００ｎｍ］（０．３０）からなる組成物Ｅを調製した。組成物Ｅは５５〜７４℃の範囲でネマチック液晶であった。これに光重合開始剤「イルガキュアー９０７（チバガイギー社製）」を０．５質量％添加したものを、例２記載のセルＭに８０℃で注入した。次に６０℃で波長３６５ｎｍにおいて５ｍＷ／ｃｍ2の強度の紫外線を３００秒照射し、光重合を行った。重合後、フィルム状の高分子液晶Ｅが得られた。この高分子液晶は可視域で透明であり、散乱も見られなかった。
【００４７】
［例８（実施例）］
例７において、化合物１１の代わりに化合物１４［Ｌ2＝２．８２ｎｍ］（０．３０）を用いる以外は例７と同様にして、組成物Ｆを調製した。組成物Ｆは４４〜７９℃の範囲でネマチック液晶であった。これに光重合開始剤「イルガキュアー９０７（チバガイギー社製）」を０．５質量％添加したものを、例２記載のセルＭに８０℃で注入した。次に５０℃で波長３６５ｎｍにおいて５ｍＷ／ｃｍ2の強度の紫外線を３００秒照射し、光重合を行った。重合後、フィルム状の高分子液晶Ｆが得られた。この高分子液晶は可視域で透明であり、散乱も見られなかった。
【００４８】
［例９（実施例）］
例７において、化合物１１の代わりに化合物１５［Ｌ2＝３．３２ｎｍ］（０．３０）を用いる以外は例７と同様にして、組成物Ｇを調製した。組成物Ｇは５７〜７９℃の範囲でネマチック液晶であった。これに光重合開始剤「イルガキュアー９０７（チバガイギー社製）」を０．５質量％添加したものを、例２記載のセルＭに８５℃で注入した。次に６０℃で波長３６５ｎｍにおいて５ｍＷ／ｃｍ2の強度の紫外線を３００秒照射し、光重合を行った。重合後、フィルム状の高分子液晶Ｇが得られた。この高分子液晶は可視域で透明であり、散乱も見られなかった。
【００４９】
［例１０（実施例）］
例７において、化合物１１の代わりに化合物１６［Ｌ2＝３．８２ｎｍ］（０．３０）を用いる以外は例７と同様にして、組成物Ｈを調製した。組成物Ｈは６６〜８１℃の範囲でネマチック液晶であった。これに光重合開始剤「イルガキュアー９０７（チバガイギー社製）」を０．５質量％添加したものを、例２記載のセルＭに８５℃で注入した。次に７０℃で波長３６５ｎｍにおいて５ｍＷ／ｃｍ2の強度の紫外線を３００秒照射し、光重合を行った。重合後、フィルム状の高分子液晶Ｈが得られた。この高分子液晶は可視域で透明であり、散乱も見られなかった。
【００５０】
［例１１（実施例）］
化合物１３（０．２０）、化合物１７［Ｌ1＝２．０８ｎｍ］（０．５０）、化合物１４（０．３０）からなる組成物Ｉを調製した。組成物Ｉは５２〜８３℃の範囲でネマチック液晶であった。これに光重合開始剤「イルガキュアー９０７（チバガイギー社製）」を０．５質量％添加したものを、例２記載のセルＭに８５℃で注入した。次に６０℃で波長３６５ｎｍにおいて５０ｍＷ／ｃｍ2の強度の紫外線を６０秒照射し、光重合を行った。重合後、フィルム状の高分子液晶Ｉが得られた。この高分子液晶は可視域で透明であり、散乱も見られなかった。
【００５１】
各重合性液晶組成物について、重合性液晶組成物全量中の架橋性モノマの割合Ｖ［モル％］、Ｔc［℃］、ネマチック液晶温度範囲［℃］および（  ）内の温度［℃］での波長５８９ｎｍの光におけるΔｎを表１に示す。表１の組成物Ａ〜Ｄのネマチック液晶温度範囲においては、過冷却状態のネマチック液晶温度範囲を含む。各高分子液晶の３０℃、８０℃での波長５８９ｎｍの光におけるΔｎおよびその温度によるΔｎの変化率Ｕ：１００×（Δｎ（８０℃）−Δｎ（３０℃））／Δｎ（３０℃）（温度依存性）を表２に示す。
【００５２】
【表１】
0004834907.tif 000005
【００５３】
【表２】
0004834907.tif 000006
【００５４】
【発明の効果】
本発明の重合性液晶組成物を用いれば、屈折率異方性が大きく、かつ、その温度依存性が小さい高分子液晶を得ることができる。この高分子液晶は散乱もないため、光学素子（位相差フィルムや偏光ホログラム素子等）の材料として好適であり、該光学素子は光ヘッド等の部品として好適である。本発明は、本発明の効果を損しない範囲内で、種々応用できる。